【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
パルスが印加されることによってインクを吐出するためのエネルギーを生成する複数のエネルギー生成素子を有する記録ヘッドと、
記録動作前に、前記エネルギー生成素子に印加された場合にインクを発泡させうる複数のパルスのうちの最小のパルス幅に関する情報を取得する第１の取得手段と、
前記第１の取得手段によって取得された前記情報が示す最小のパルス幅に基づいて、それぞれメインパルスと、当該メインパルスに先立って前記エネルギー生成素子に印加されるプレパルスと、から構成され、プレパルスのパルス幅が互いに異なる複数の駆動パルスをそれぞれ規定し、それぞれ駆動パルスと温度との対応関係が定められた複数の駆動パルステーブルの中から、記録動作に用いる１つの駆動パルステーブルを決定する第１の決定手段と、
記録動作中に前記記録ヘッドの温度に関する情報を取得する第２の取得手段と、
前記第２の取得手段によって取得された前記情報が示す温度に基づいて、前記第１の決定手段によって決定された前記駆動パルステーブルに規定される前記複数の駆動パルスの中から１つの駆動パルスを決定する第２の決定手段と、
前記第２の決定手段によって決定された前記駆動パルスを前記複数のエネルギー生成素子に印加するように制御することにより記録媒体上に画像を記録する記録制御手段と、を有することを特徴とするインクジェット記録装置。
【請求項２】
記録動作前に前記記録ヘッドの温度に関する情報を取得する第３の取得手段を更に有し、
前記第１の決定手段は、前記第１の取得手段によって取得された前記情報が示す最小のパルス幅と、前記第３の取得手段によって取得された前記情報が示す温度と、に基づいて、前記駆動パルステーブルを決定することを特徴とする請求項１に記載のインクジェット記録装置。
【請求項３】
前記第１の取得手段によって取得された前記情報が示す最小のパルス幅と、前記第３の取得手段によって取得された前記情報が示す温度と、に基づいて、記録動作中に前記複数のエネルギー生成素子に印加するプレパルスのパルス幅の上限値を決定する第３の決定手段を更に有し、
前記第１の決定手段は、前記第３の決定手段によって決定された前記プレパルスのパルス幅の上限値に基づいて、前記駆動パルステーブルを決定することを特徴とする請求項２に記載のインクジェット記録装置。
【請求項４】
前記第１の決定手段は、同じ駆動パルステーブルに規定される複数の駆動パルスの中でプレパルスのパルス幅が最大である第１の駆動パルスに関し、前記第１の駆動パルスを構成するプレパルスのパルス幅が前記第３の決定手段によって決定された前記プレパルスのパルス幅の上限値よりも小さくなるように、前記複数の駆動パルステーブルの中から前記駆動パルステーブルを決定することを特徴とする請求項３に記載のインクジェット記録装置。
【請求項５】
前記第１の決定手段は、前記第１の駆動パルスを構成するプレパルスのパルス幅と、前記第３の決定手段によって決定された前記プレパルスのパルス幅の上限値と、の差が、前記複数の駆動パルステーブルの中で最小となるように、前記複数の駆動パルステーブルの中から前記駆動パルステーブルを決定することを特徴とする請求項４に記載のインクジェット記録装置。
【請求項６】
前記第３の決定手段は、前記第１の取得手段によって取得された前記情報が示す最小のパルス幅が第１の幅である場合におけるプレパルスのパルス幅の上限値が、前記第１の取得手段によって取得された前記情報が示す最小のパルス幅が前記第１の幅よりも長い第２の幅である場合におけるプレパルスのパルス幅の上限値よりも小さくなるように、前記プレパルスのパルス幅の上限値を決定することを特徴とする請求項３から５のいずれか１項に記載のインクジェット記録装置。
【請求項７】
前記第３の決定手段は、前記第３の取得手段によって取得された前記情報が示す温度が第１の温度である場合におけるプレパルスのパルス幅の上限値が、前記第３の取得手段によって取得された前記情報が示す温度が前記第１の温度よりも高い第２の温度である場合におけるプレパルスのパルス幅の上限値よりも大きくなるように、前記プレパルスのパルス幅の上限値を決定することを特徴とする請求項３から６のいずれか１項に記載のインクジェット記録装置。
【請求項８】
前記第２の決定手段は、前記第２の取得手段によって取得された前記情報が示す温度が第３の温度である場合における駆動パルスを構成するプレパルスのパルス幅が、前記第２の取得手段によって取得された前記情報が示す温度が前記第３の温度よりも高い第４の温度である場合における駆動パルスを構成するプレパルスのパルス幅よりも長くなるように、前記駆動パルスを決定することを特徴とする請求項１から７のいずれか１項に記載のインクジェット記録装置。
【請求項９】
前記記録ヘッドからのインクの吐出の有無を検知するための検知手段を更に有し、
前記第１の取得手段は、前記検知手段によって記録動作前にパルス幅が互いに異なる複数のパルスのそれぞれを前記エネルギー生成素子に印加した際のインクの吐出の有無を検知することにより、前記最小のパルス幅に関する情報を取得することを特徴とする請求項１から８のいずれか１項に記載のインクジェット記録装置。
【請求項１０】
前記検知手段は、前記記録ヘッドの温度が一定の状態でインクの吐出の有無を検知することを特徴とする請求項９に記載のインクジェット記録装置。
【請求項１１】
前記検知手段によってインクの吐出の有無を検知した後の前記記録ヘッドからのインクの吐出回数に関する情報を取得する第４の取得手段と、を更に有し、
前記第３の決定手段は、前記第１の取得手段によって取得された前記情報が示す最小のパルス幅と、前記第３の取得手段によって取得された前記情報が示す温度と、前記第４の取得手段によって取得された前記情報が示すインクの吐出回数と、に基づいて、記録動作中に前記複数のエネルギー生成素子に印加するプレパルスのパルス幅の上限値を決定することを特徴とする請求項３から１０のいずれか１項に記載のインクジェット記録装置。
【請求項１２】
前記第３の決定手段は、前記第４の取得手段によって取得された前記情報が示すインクの吐出回数が第１の回数である場合におけるプレパルスのパルス幅の上限値が、前記第４の取得手段によって取得された前記情報が示すインクの吐出回数が前記第１の回数よりも少ない第２の回数である場合におけるプレパルスのパルス幅の上限値よりも小さくなるように、前記プレパルスのパルス幅の上限値を決定することを特徴とする請求項１１に記載のインクジェット記録装置。
【請求項１３】
前記記録媒体に吐出するインクの吐出量に関する情報を取得する第５の取得手段を更に有し、
前記第３の決定手段は、前記第１の取得手段によって取得された前記情報が示す最小のパルス幅と、前記第３の取得手段によって取得された前記情報が示す温度と、前記第５の取得手段によって取得された前記情報が示すインクの吐出量と、に基づいて、記録動作中に前記複数のエネルギー生成素子に印加するプレパルスのパルス幅の上限値を決定することを特徴とする請求項３から１２のいずれか１項に記載のインクジェット記録装置。
【請求項１４】
前記第３の決定手段は、前記第５の取得手段によって取得された前記情報が示すインクの吐出量が第１の量である場合におけるプレパルスのパルス幅の上限値が、前記第５の取得手段によって取得された前記情報が示すインクの吐出量が前記第１の量よりも少ない第２の量である場合におけるプレパルスのパルス幅の上限値よりも小さくなるように、前記プレパルスのパルス幅の上限値を決定することを特徴とする請求項１３に記載のインクジェット記録装置。
【請求項１５】
パルスが印加されることによってインクを吐出するためのエネルギーを生成する複数のエネルギー生成素子を有する記録ヘッドと、
記録動作前に前記エネルギー生成素子に印加された場合にインクを発泡させうる複数のパルスのうちの最小のパルス幅に関する情報を記憶する記憶手段と、
記録動作中に前記記録ヘッドの温度に関する情報を取得する第１の取得手段と、
前記第１の取得手段によって取得された前記情報が示す温度に基づいて、それぞれメインパルスと、当該メインパルスに先立って前記エネルギー生成素子に印加されるプレパルスと、から構成され、プレパルスのパルス幅が互いに異なる複数の駆動パルスの中から第１の駆動パルスを決定する第１の決定手段と、
記録動作中に前記記憶手段によって記憶された前記最小のパルス幅に関する情報を取得する第２の取得手段と、
前記第１の取得手段によって取得された前記情報が示す温度と、前記第２の取得手段によって取得された前記情報が示す最小のパルス幅と、に基づいて、記録動作中に前記複数のエネルギー生成素子に印加するプレパルスのパルス幅の上限値を決定する第２の決定手段と、
前記第１の決定手段によって決定された前記第１の駆動パルスを構成するプレパルスのパルス幅が前記第２の決定手段によって決定された前記プレパルスのパルス幅の上限値よりも長い場合、前記第１の駆動パルスを前記第１の駆動パルスを構成するプレパルスのパルス幅よりも短いプレパルスのパルス幅を有する第２の駆動パルスに変更する変更手段と、
前記変更手段によって変更された前記第２の駆動パルスを前記複数のエネルギー生成素子に印加するように制御することにより記録媒体上に画像を記録する記録制御手段と、を有することを特徴とするインクジェット記録装置。
【請求項１６】
前記変更手段は、前記第１の決定手段によって決定された前記第１の駆動パルスを構成するプレパルスのパルス幅が前記第２の決定手段によって決定された前記プレパルスのパルス幅の上限値よりも短い場合、前記第１の駆動パルスを前記第２の駆動パルスに変更せず、
前記制御手段は、前記第１の決定手段によって決定された前記第１の駆動パルスを前記複数のエネルギー生成素子に印加するように制御することを特徴とする請求項１５に記載のインクジェット記録装置。
【請求項１７】
前記第２の決定手段は、前記第２の取得手段によって取得された前記情報が示す最小のパルス幅が第１の幅である場合におけるプレパルスのパルス幅の上限値が、前記第２の取得手段によって取得された前記情報が示す最小のパルス幅が前記第１の幅よりも長い第２の幅である場合におけるプレパルスのパルス幅の上限値よりも小さくなるように、前記プレパルスのパルス幅の上限値を決定することを特徴とする請求項１５または１６に記載のインクジェット記録装置。
【請求項１８】
前記第２の決定手段は、前記第１の取得手段によって取得された前記情報が示す温度が第１の温度である場合におけるプレパルスのパルス幅の上限値が、前記第１の取得手段によって取得された前記情報が示す温度が前記第１の温度よりも高い第２の温度である場合におけるプレパルスのパルス幅の上限値よりも大きくなるように、前記プレパルスのパルス幅の上限値を決定することを特徴とする請求項１５から１７のいずれか１項に記載のインクジェット記録装置。
【請求項１９】
前記第１の決定手段は、前記第１の取得手段によって取得された前記情報が示す温度が第３の温度である場合における第１の駆動パルスを構成するプレパルスのパルス幅が、前記第１の取得手段によって取得された前記情報が示す温度が前記第３の温度よりも高い第４の温度である場合における第１の駆動パルスを構成するプレパルスのパルス幅よりも長くなるように、前記第１の駆動パルスを決定することを特徴とする請求項１５から１８のいずれか１項に記載のインクジェット記録装置。
【請求項２０】
前記変更手段によって変更された前記第２の駆動パルスを構成するプレパルスのパルス幅は、前記第２の決定手段によって決定された前記プレパルスのパルス幅の上限値よりも短いことを特徴とする請求項１５から１９のいずれか１項に記載のインクジェット記録装置。
【請求項２１】
前記記録ヘッドからのインクの吐出の有無を検知するための検知手段と、
前記検知手段によって記録動作前にパルス幅が互いに異なる複数のパルスのそれぞれを前記エネルギー生成素子に印加した際のインクの吐出の有無を検知することにより、前記最小のパルス幅に関する情報を取得する第３の取得手段と、を更に有し、
前記記憶手段は、前記第３の取得手段によって取得された前記最小のパルス幅に関する情報を記憶することを特徴とする請求項１５から２０のいずれか１項に記載のインクジェット記録装置。
【請求項２２】
前記検知手段は、前記記録ヘッドの温度が一定の状態でインクの吐出の有無を検知することを特徴とする請求項２１に記載のインクジェット記録装置。
【請求項２３】
前記検知手段によってインクの吐出の有無を検知した後の前記記録ヘッドからのインクの吐出回数に関する情報を取得する第４の取得手段と、を更に有し、
前記第２の決定手段は、前記第１の取得手段によって取得された前記情報が示す温度と、前記第２の取得手段によって取得された前記情報が示す最小のパルス幅と、前記第３の取得手段によって取得された前記情報が示すインクの吐出回数と、に基づいて、記録動作中に前記複数のエネルギー生成素子に印加するプレパルスのパルス幅の上限値を決定することを特徴とする請求項１５から２２のいずれか１項に記載のインクジェット記録装置。
【請求項２４】
前記第２の決定手段は、前記第４の取得手段によって取得された前記情報が示すインクの吐出回数が第１の回数である場合におけるプレパルスのパルス幅の上限値が、前記第４の取得手段によって取得された前記情報が示すインクの吐出回数が前記第１の回数よりも少ない第２の回数である場合におけるプレパルスのパルス幅の上限値よりも小さくなるように、前記プレパルスのパルス幅の上限値を決定することを特徴とする請求項２３に記載のインクジェット記録装置。
【請求項２５】
前記記録媒体に吐出するインクの吐出量に関する情報を取得する第５の取得手段を更に有し、
前記第２の決定手段は、前記第１の取得手段によって取得された前記情報が示す温度と、前記第２の取得手段によって取得された前記情報が示す最小のパルス幅と、前記第５の取得手段によって取得された前記情報が示すインクの吐出量と、に基づいて、記録動作中に前記複数のエネルギー生成素子に印加するプレパルスのパルス幅の上限値を決定することを特徴とする請求項１５から２４のいずれか１項に記載のインクジェット記録装置。
【請求項２６】
前記第２の決定手段は、前記第５の取得手段によって取得された前記情報が示すインクの吐出量が第１の量である場合におけるプレパルスのパルス幅の上限値が、前記第５の取得手段によって取得された前記情報が示すインクの吐出量が前記第１の量よりも少ない第２の量である場合におけるプレパルスのパルス幅の上限値よりも小さくなるように、前記プレパルスのパルス幅の上限値を決定することを特徴とする請求項２５に記載のインクジェット記録装置。
【請求項２７】
パルスが印加されることによってインクを吐出するためのエネルギーを生成する複数のエネルギー生成素子を有する記録ヘッドと、
記録動作前に前記エネルギー生成素子に印加された場合にインクを吐出させうる複数のパルスのうちの最小のパルス幅に関する情報を記憶する記憶手段と、
記録動作中に前記記録ヘッドの温度に関する情報を取得する第１の取得手段と、
前記第１の取得手段によって取得された前記情報が示す温度に基づいて、それぞれメインパルスと、当該メインパルスに先立って前記エネルギー生成素子に印加されるプレパルスと、から構成され、プレパルスのパルス幅が互いに異なる複数の駆動パルスの中から第１の駆動パルスを決定する第１の決定手段と、
記録動作中に前記記憶手段によって記憶された前記最小のパルス幅に関する情報を取得する第２の取得手段と、
前記第１の取得手段によって取得された前記情報が示す温度と、前記第２の取得手段によって取得された前記情報が示す最小のパルス幅と、に基づいて、記録動作中に前記複数のエネルギー生成素子に印加するプレパルスのパルス幅の上限値を決定する第２の決定手段と、
前記第１の決定手段によって決定された前記第１の駆動パルスを構成するプレパルスのパルス幅が前記第２の決定手段によって決定された前記プレパルスのパルス幅の上限値よりも長い場合、前記第１の駆動パルスを前記第１の駆動パルスを構成するプレパルスのパルス幅よりも短いプレパルスのパルス幅を有する第２の駆動パルスに変更する変更手段と、
前記変更手段によって変更された前記第２の駆動パルスを前記複数のエネルギー生成素子に印加するように制御することにより記録媒体上に画像を記録する記録制御手段と、を有することを特徴とするインクジェット記録装置。
【請求項２８】
パルスが印加されることによってインクを吐出するためのエネルギーを生成する複数のエネルギー生成素子を有する記録ヘッドと、
記録動作前に、前記エネルギー生成素子に印加された場合にインクを吐出させうる複数のパルスのうちの最小のパルス幅に関する情報を取得する第１の取得手段と、
記録動作中に前記記録ヘッドの温度に関する情報を取得する第２の取得手段と、
前記第１の取得手段によって取得された前記情報が示す最小のパルス幅と、前記第２の取得手段によって取得された前記情報が示す温度と、に基づいて、駆動パルスを決定する決定手段と、
前記決定手段によって決定された前記駆動パルスを前記複数のエネルギー生成素子に印加するように制御することにより記録媒体上の画像を記録する記録制御手段と、を有することを特徴とするインクジェット記録装置。
【請求項２９】
パルスが印加されることによってインクを吐出するためのエネルギーを生成する複数のエネルギー生成素子を有する記録ヘッドを用いて記録媒体上に画像を記録するインクジェット記録方法であって、
記録動作前に前記エネルギー生成素子に印加された場合にインクを発泡させうる複数のパルスのうちの最小のパルス幅に関する情報を取得する第１の取得工程と、
前記第１の取得工程によって取得された前記情報が示す最小のパルス幅に基づいて、それぞれメインパルスと、当該メインパルスに先立って前記エネルギー生成素子に印加されるプレパルスと、から構成され、プレパルスのパルス幅が互いに異なる複数の駆動パルスをそれぞれ規定し、それぞれ駆動パルスと温度との対応関係が定められた複数の駆動パルステーブルの中から、記録動作に用いる１つの駆動パルステーブルを決定する第１の決定工程と、
記録動作中に前記記録ヘッドの温度に関する情報を取得する第２の取得工程と、
前記第２の取得工程によって取得された前記情報が示す温度に基づいて、前記第１の決定工程によって決定された前記駆動パルステーブルに規定される前記複数の駆動パルスの中から１つの駆動パルスを決定する第２の決定工程と、
前記第２の決定工程によって決定された前記駆動パルスを前記複数のエネルギー生成素子に印加するように制御する制御工程と、を有することを特徴とするインクジェット記録方法。
【請求項３０】
パルスが印加されることによってインクを吐出するためのエネルギーを生成する複数のエネルギー生成素子を有する記録ヘッドを用いて記録媒体上に画像を記録するインクジェット記録方法であって、
記録動作前に前記エネルギー生成素子に印加された場合にインクを発泡させうる複数のパルスのうちの最小のパルス幅に関する情報を記憶する記憶工程と、
記録動作中に前記記録ヘッドの温度に関する情報を取得する第１の取得工程と、
前記第１の取得工程によって取得された前記情報が示す温度に基づいて、それぞれメインパルスと、当該メインパルスに先立って前記エネルギー生成素子に印加されるプレパルスと、から構成され、プレパルスのパルス幅が互いに異なる複数の駆動パルスの中から第１の駆動パルスを決定する第１の決定工程と、
記録動作中に前記記憶工程によって記憶された前記最小のパルス幅に関する情報を取得する第２の取得工程と、
前記第１の取得工程によって取得された前記情報が示す温度と、前記第２の取得工程によって取得された前記情報が示す最小のパルス幅と、に基づいて、記録動作中に前記複数のエネルギー生成素子に印加するプレパルスのパルス幅の上限値を決定する第２の決定工程と、
前記第１の決定工程によって決定された前記第１の駆動パルスを構成するプレパルスのパルス幅が前記第２の決定工程によって決定された前記プレパルスのパルス幅の上限値よりも長い場合、前記第１の駆動パルスを前記第１の駆動パルスを構成するプレパルスのパルス幅よりも短いプレパルスのパルス幅を有する第２の駆動パルスに変更する変更工程と、
前記変更工程によって変更された前記第２の駆動パルスを前記複数のエネルギー生成素子に印加するように制御する制御工程と、を有することを特徴とするインクジェット記録方法。
【手続補正２】
【補正対象書類名】明細書
【補正対象項目名】発明の名称
【補正方法】変更
【補正の内容】
【発明の名称】インクジェット記録装置およびインクジェット記録方法
【手続補正３】
【補正対象書類名】明細書
【補正対象項目名】０００１
【補正方法】変更
【補正の内容】
【０００１】
本発明は、インクジェット記録装置およびインクジェット記録方法に関する。
【手続補正４】
【補正対象書類名】明細書
【補正対象項目名】００１０
【補正方法】変更
【補正の内容】
【００１０】
本発明は、パルスが印加されることによってインクを吐出するためのエネルギーを生成する複数のエネルギー生成素子を有する記録ヘッドと、記録動作前に、前記エネルギー生成素子に印加された場合にインクを発泡させうる複数のパルスのうちの最小のパルス幅に関する情報を取得する第１の取得手段と、前記第１の取得手段によって取得された前記情報が示す最小のパルス幅に基づいて、それぞれメインパルスと、当該メインパルスに先立って前記エネルギー生成素子に印加されるプレパルスと、から構成され、プレパルスのパルス幅が互いに異なる複数の駆動パルスをそれぞれ規定し、それぞれ駆動パルスと温度との対応関係が定められた複数の駆動パルステーブルの中から、記録動作に用いる１つの駆動パルステーブルを決定する第１の決定手段と、記録動作中に前記記録ヘッドの温度に関する情報を取得する第２の取得手段と、前記第２の取得手段によって取得された前記情報が示す温度に基づいて、前記第１の決定手段によって決定された前記駆動パルステーブルに規定される前記複数の駆動パルスの中から１つの駆動パルスを決定する第２の決定手段と、前記第２の決定手段によって決定された前記駆動パルスを前記複数のエネルギー生成素子に印加するように制御することにより記録媒体上に画像を記録する記録制御手段と、を有することを特徴とする。